(57)【要約】  放送コンテンツを記録する端末は、選択されたチャネルの放送コンテンツを受信するべく構成されたプロセッサと、ユーザー入力インターフェイスと、を含んでいる。ユーザー入力インターフェイスは、キーを押下する第１の方式に応答して第１の機能を実行するべく構成されたキーを含んでおり、この場合に、この同一のキーは、キーを押下する第２の方式に応答して第２の異なる機能を実行するべく更に予めプログラムされている。第１の機能は、選択されたチャネルのコンテンツを記録する段階を有している。この結果、プロセッサは、ユーザーが第１の方式においてユーザー入力インターフェイスのキーを押下することに応答して選択されたチャネルのコンテンツを記録するべく更に構成されている。
2009514476.tif 000002
【特許請求の範囲】
【請求項１】
放送コンテンツを記録する端末において、
キーを押下する第１の方式に応答して第１の機能を実行するべく構成された前記キーを含むユーザー入力インターフェイスであって、前記同一のキーは、前記キーを押下する第２の方式に応答して第２の異なる機能を実行するべく更に予めプログラムされており、前記第１の機能は、選択されたチャネルのコンテンツを記録する働きを有する、ユーザー入力インターフェイスと、
選択されたチャネルの放送コンテンツを受信するべく構成されたプロセッサであって、ユーザーが前記第１の方式において前記ユーザー入力インターフェイスの前記キーを押下するのに応答して前記選択されたチャネルのコンテンツを記録するべく更に構成されているプロセッサと、
を有する端末。
【請求項２】
前記プロセッサは、前記ユーザーが前記第２の方式において前記ユーザー入力インターフェイスの前記キーを押下することに応答して前記第２の機能を実行するべく更に構成されている請求項１記載の端末。
【請求項３】
前記キーを押下する前記第１の方式は、前記キーを押下する前記第２の方式とは異なっている請求項２記載の端末。
【請求項４】
前記キーを押下する前記第１の方式は、前記キーを押下する前記第２の方式と同一であり、この場合に、前記プロセッサは、前記ユーザーが前記第１の方式において前記ユーザー入力インターフェイスの前記キーを押下することに応答して前記第２の機能を実行するべく更に構成されている請求項１記載の端末。
【請求項５】
前記第２の機能は、前記端末において通話を発信又は受信する段階を有する請求項４記載の端末。
【請求項６】
前記プロセッサは、前記放送コンテンツを受信する際に前記放送コンテンツを消費するべく更に構成されており、この場合に、前記プロセッサは、前記第２の機能を実行する際に前記放送コンテンツの消費を少なくとも一時的に中止するべく構成されている請求項４記載の端末。
【請求項７】
前記プロセッサは、コンテンツを記録するべく構成されており、前記選択されたチャネルのコンテンツを記録するようにリモートネットワークエンティティを制御する働きを含んでいる請求項１記載の端末。
【請求項８】
放送コンテンツを記録する端末において、
選択されたチャネルの放送コンテンツを受信する第１手段であって、前記端末は、キーを押下する第１の方式に応答して第１の機能を実行するべく構成された前記キーを含むユーザー入力インターフェイスを有しており、前記同一のキーは、前記キーを押下する第２の方式に応答して第２の異なる機能を実行するべく更に予めプログラムされており、前記第１の機能は、前記選択されたチャネルのコンテンツを記録する働きを有する、第１手段と、
前記ユーザーが前記第１の方式において前記ユーザー入力インターフェイスの前記キーを押下するのに応答して前記選択されたチャネルのコンテンツを記録する第２手段と、
を有する端末。
【請求項９】
前記ユーザーが前記第２の方式において前記ユーザー入力インターフェイスの前記キーを押下するのに応答して前記第２の機能を実行する第３手段を更に有する請求項８記載のコンピュータプログラムプロダクト。
【請求項１０】
前記キーを押下する前記第１の方式は、前記キーを押下する前記第２の方式とは異なっている請求項９記載のコンピュータプログラムプロダクト。
【請求項１１】
前記キーを押下する前記第１の方式は、前記キーを押下する前記第２の方式と同一であり、この場合に、前記コンピュータプログラムプロダクトは、前記第１の方式において前記ユーザー入力インターフェイスの前記キーを押下するのに応答して前記第２の機能を実行する第３手段を更に有する請求項８記載のコンピュータプログラムプロダクト。
【請求項１２】
前記第２の機能は、前記端末において通話を発信又は受信する段階を有する請求項１１記載のコンピュータプログラムプロダクト。
【請求項１３】
前記放送コンテンツを受信する際に前記放送コンテンツを消費する第４手段を更に有しており、この場合に、前記第４手段は、前記第２手段を実行する際に前記放送コンテンツの消費を少なくとも一時的に中止することにより、前記放送コンテンツを消費するべく適合されている請求項１１記載のコンピュータプログラムプロダクト。
【請求項１４】
前記第２手段は、前記選択されたチャネルのコンテンツを記録するようにリモートネットワークエンティティを制御するべく適合されている請求項８記載のコンピュータプログラムプロダクト。
【請求項１５】
端末のユーザーインターフェイスにおいて、
キーを押下する第１の方式に応答して第１の機能を実行するように前記端末を制御するべく構成された前記キーであって、前記同一のキーは、前記キーを押下する第２の方式に応答して第２の異なる機能を実行するように前記端末を制御するべく更に予めプログラムされており、前記第１の機能は、選択されたチャネルのコンテンツを記録する働きを有する、キーを有しており、
この場合に、前記キーは、前記端末が放送コンテンツを受信する際に選択されたチャネルのコンテンツを記録するように前記端末を制御するべく構成されており、前記端末は、ユーザーが前記第１の方式において前記ユーザー入力インターフェイスの前記キーを押下することに応答して前記コンテンツを記録するように制御されている、ユーザーインターフェイス。
【請求項１６】
前記キーは、前記ユーザーが前記第２の方式において前記ユーザー入力インターフェイスの前記キーを押下することに応答して前記第２の機能を実行するように前記端末を制御するべく更に構成されている請求項１５記載のユーザーインターフェイス。
【請求項１７】
前記キーを押下する前記第１の方式は、前記キーを押下する前記第２の方式とは異なっている請求項１６記載のユーザーインターフェイス。
【請求項１８】
前記キーを押下する前記第１の方式は、前記キーを押下する前記第２の方式と同一であり、この場合に、前記キーは、前記ユーザーが前記第１の方式において前記ユーザー入力インターフェイスの前記キーを押下することに応答して前記第２の機能を実行するように前記端末を制御するべく更に構成されている請求項１５記載のユーザーインターフェイス。
【請求項１９】
前記第２の機能は、前記端末において通話を発信又は受信する段階を有する請求項４記載のユーザーインターフェイス。
【請求項２０】
前記端末は、前記放送コンテンツを受信する際に前記放送コンテンツを消費するべく構成されており、この場合に、前記キーは、前記第２の機能を実行する際に前記放送コンテンツの消費を少なくとも一時的に中止するように前記端末を制御するべく構成されている請求項４記載のユーザーインターフェイス。
【請求項２１】
前記キーは、コンテンツを記録するように前記端末を制御するべく構成されており、前記選択されたチャネルのコンテンツを記録するようにリモートネットワークエンティティを制御する働きを含んでいる請求項１５記載のユーザーインターフェイス。
【請求項２２】
端末において実装されており、放送コンテンツを記録する方法において、
選択されたチャネルの放送コンテンツを受信する段階であって、前記端末は、キーを押下する第１の方式に応答して第１の機能を実行するべく構成された前記キーを含むユーザー入力インターフェイスを有しており、前記同一のキーは、前記キーを押下する第２の方式に応答して第２の異なる機能を実行するべく更に予めプログラムされており、前記第１の機能は、前記選択されたチャネルのコンテンツを記録する働きを有する、段階と、
前記第１の方式において前記ユーザー入力インターフェイスの前記キーを押下する段階と、
これに応答し、前記選択されたチャネルのコンテンツを記録する段階と、
を有する方法。
【請求項２３】
前記第２の方式において前記ユーザー入力インターフェイスの前記キーを押下する段階と、
これに応答し、前記第２の機能を実行する段階と、
を更に有する請求項２２記載の方法。
【請求項２４】
前記キーを押下する前記第１の方式は、前記キーを押下する前記第２の方式とは異なっている請求項２３記載の方法。
【請求項２５】
前記キーを押下する前記第１の方式は、前記キーを押下する前記第２の方式と同一であり、この場合に、前記方法は、前記第１の方式において前記ユーザー入力インターフェイスの前記キーを押下することに応答して前記第２の機能を実行する段階を更に有する請求項２２記載の方法。
【請求項２６】
前記第２の機能は、前記端末において通話を発信又は受信する段階を有する請求項２５記載の方法。
【請求項２７】
前記放送コンテンツを受信する際に前記放送コンテンツを消費する段階を更に有しており、この場合に、前記放送コンテンツを消費する段階は、前記第２の機能を実行する際に前記放送コンテンツの消費を少なくとも一時的に中止する段階を含む請求項２５記載の方法。
【請求項２８】
コンテンツを記録する段階は、前記選択されたチャネルのコンテンツを記録するようにリモートネットワークエンティティを制御する段階を有する請求項２２記載の方法。
【請求項２９】
放送コンテンツを記録するコンピュータプログラムプロダクトであって、端末において実装され、且つ、その内部に保存されたコンピュータ可読プログラムコード部分を具備した少なくとも１つのコンピュータ可読ストレージ媒体を有するコンピュータプログラムプロダクトにおいて、
前記コンピュータ可読プログラムコード部分は、
選択されたチャネルの放送コンテンツを受信する第１実行可能部分であって、前記端末は、キーを押下する第１方式に応答して第１機能を実行するべく構成された前記キーを含むユーザー入力インターフェイスを有しており、前記同一のキーは、前記キーを押下する第２の方式に応答して第２の異なる機能を実行するべく更に予めプログラムされており、前記第１の機能は、前記選択されたチャネルのコンテンツを記録する働きを有する、第１実行可能部分と、
ユーザーが前記第１の方式において前記ユーザー入力インターフェイスの前記キーを押下することに応答して前記選択されたチャネルのコンテンツを記録する第２実行可能部分と、
を有する、コンピュータプログラムプロダクト。
【請求項３０】
前記ユーザーが前記第２の方式において前記ユーザー入力インターフェイスの前記キーを押下することに応答して前記第２の機能を実行する第３実行可能部分を更に有する請求項２９記載のコンピュータプログラムプロダクト。
【請求項３１】
前記キーを押下する前記第１の方式は、前記キーを押下する前記第２の方式とは異なっている請求項３０記載のコンピュータプログラムプロダクト。
【請求項３２】
前記キーを押下する前記第１の方式は、前記キーを押下する前記第２の方式と同一であり、この場合に、前記コンピュータプログラムプロダクトは、前記第１の方式において前記ユーザー入力インターフェイスの前記キーを押下することに応答して前記第２の機能を実行する第３実行可能部分を更に有する請求項２９記載のコンピュータプログラムプロダクト。
【請求項３３】
前記第２の機能は、前記端末において通話を発信又は受信する段階を有する請求項３２記載のコンピュータプログラムプロダクト。
【請求項３４】
前記放送コンテンツを受信する際に前記放送コンテンツを消費する第４実行可能部分を更に有しており、この場合に、前記第４実行可能部分は、前記第２の機能を実行する際に前記放送コンテンツの消費を少なくとも一時的に中止することによって前記放送コンテンツを消費するべく適合されている請求項３２記載のコンピュータプログラムプロダクト。
【請求項３５】
前記第２実行可能部分は、前記選択されたチャネルのコンテンツを記録するようにリモートネットワークエンティティを制御するべく適合されている請求項２９記載のコンピュータプログラムプロダクト。
【発明の詳細な説明】
【技術分野】
【０００１】
本発明の実施例は、一般に、放送コンテンツを提供するシステム及び方法に関するものであり、更に詳しくは、放送コンテンツを記録する端末、方法、及びコンピュータプログラムプロダクトに関するものである。
【背景技術】
【０００２】
先進的な高ビットレートモバイルネットワークの配備により、以前の第２世代無線ネットワークにおいては不可能であった方式によってサービスのホストを供給する新しい機会が開かれている。ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）無線規格に使用するべく規定されたものなどの第３世代（３Ｇ）システムを含む最近のシステムによれば、ビデオ通話及びオーディオ及びビデオクリップから構成されたマルチメディアアプリケーションの再生などの新しいデジタルサービスを供給可能である。この観点において、３Ｇシステムの向上したビットレートにより、デジタルサービスを提供する可能性が広がっている。
【０００３】
３Ｇシステムの向上したビットレートにより、ポイントツーポイントのデータ供給メカニズムの一例として、高品質のデジタルオーディオと許容可能な品質の動画クリップ又はビデオを供給する十分な性能が提供されている。このような有望な供給法の１つが、ＤＶＢ（Ｄｉｇｉｔａｌ  Ｖｉｄｅｏ  Ｂｒｏａｄｃａｓｔｉｎｇ）である。この観点において、ＤＶＢ−Ｃ（Ｃａｂｌｅ）及びＤＶＢ−Ｓ（Ｓａｔｅｌｌｉｔｅ）と関係したＤＶＢ−Ｔは、地上型のＤＶＢ規格である。周知のように、ＤＶＢ−Ｔは、デジタルＴＶ放送用に開発されたポイントツーマルチポイント型の無線データ供給メカニズムであり、これは、ビデオ及び同期したオーディオを送信するべく、ＭＰＥＧ−２トランスポートストリームに基づいている。ＤＶＢ−Ｔは、多数のユーザーに対して放送チャネル上において大量のデータを効率的に同時送信する能力を具備している。ＤＶＢ−Ｔと関連したＤＶＢ−Ｈ（Ｈａｎｄｈｅｌｄ）も、同様の向上した性能を、特にハンドヘルド型の装置に対する無線データ供給のために提供している。
【０００４】
デジタル広帯域データ放送ネットワークについては周知である。前述のように、欧州及びその他の国々において世界的に人気を得ているこの種のネットワークの一例が、テレビコンテンツに加えてＩＰ（Ｉｎｔｅｒｎｅｔ  Ｐｒｏｔｏｃｏｌ）データなどのデータを供給可能なＤＶＢである。広帯域データ放送ネットワークのその他の例には、日本のＩＳＤＢ−Ｔ（Ｔｅｒｒｅｓｔｒｉａｌ  Ｉｎｔｅｇｒａｔｅｄ  Ｓｅｒｖｉｃｅ  Ｄｉｇｉｔａｌ  Ｂｒｏａｄｃａｓｔｉｎｇ）、ＤＡＢ（Ｄｉｇｉｔａｌ  Ａｕｄｉｏ  Ｂｒｏａｄｃａｓｔｉｎｇ）、ＤＭＢ（Ｄｉｇｉｔａｌ  Ｍｕｌｔｉｍｅｄｉａ  Ｂｒｏａｄｃａｓｔｉｎｇ）、及びＭＢＭＳ、並びに、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）によって提供されるネットワークが含まれている。このようなシステムの多くにおいては、データコンテナとして機能するＭＰＥＧ−２パケット内に送信用のコンテンツを配置するコンテナ化法を利用している。この結果、これらのコンテナを利用することにより、限定を伴うことなしに、高精細度ＴＶ、多チャネル標準精細度ＴＶ（ＰＡＵＮＴＳＣ又はＳＥＣＡＭ）、並びに、当然のことながら、広帯域マルチメディアデータ及び対話型サービスを含む任意の適切にデジタル化されたデータを搬送可能である。
【０００５】
移動中のユーザーに対するデジタルサービスの効率的な供給を実現するべく、モバイル通信をＤＶＢ−Ｔなどの広帯域供給法と組み合わせる使用法が過去に提案されている。これは、（既に普及している）パーソナル通信を提供すると共に、インターネットアクセスに対する需要の増大とデジタル放送の予想される成長に応えるべく、既存のインフラストラクチャを活用しようとするものであり、この結果、ユーザーは、これらのサービスを単一の装置によって受信できるようになる。更には、ＤＶＢ−Ｔは、多くの国々が共有するクロスプラットフォーム規格であり、この結果、周波数の互換性とローミングの問題が低減されることにもなる。モバイル通信と、相対的に非常に低コストのデジタル広帯域供給法の組み合わせは、（例えば、ＴＶやラジオなどの）オーディオ及びビデオストリーミング、ファイルのダウンロード、及び高度なゲームアプリケーションなどの単方向及び双方向サービスなどの対話型サービスの可能性を提供している。
【０００６】
デジタル広帯域データ放送ネットワークを使用して１つ又は複数のテレビ、ラジオ、及び／又はデータチャネルのコンテンツを放送することになると考えられる。例えば、モバイルテレビＤＶＢ−Ｈ放送は、１０〜５０又はこれを上回る数のテレビチャネルのコンテンツを含むことになると考えられる。様々な例において、このようなコンテンツは、そのそれぞれが複数のチャネルのタイムスライスされたコンテンツを含むバーストとして放送されている。このようにチャネルをタイムスライスとして放送することにより、これらの装置がパワーアップしていくつかのチャネルのタイムスライスされたコンテンツのバーストを受信した後に、バースト間の相対的に長い時間にわたってパワーダウンできるようにすることにより、モバイル装置内における電力の節約を実現可能である。
【０００７】
ユーザーが端末を操作して特定チャネルの放送コンテンツを消費又はその他の方式で閲覧している際に、ユーザーが、通話の発信又は受信などの１つ又は複数のその他の機能を実行するべくその端末を制御することを所望する可能性があることが理解されよう。しかしながら、いくつかの従来のコンテンツ放送技法においては、ユーザーが、放送コンテンツの消費とその他の機能の実行の間において選択することが必要であり、この結果、ユーザーがその他の機能の実行を選択した場合には、ユーザーは、放送コンテンツの消費を諦める必要がある。ユーザーによる放送コンテンツの消費とその他の機能の実行の両方を実現するために、後から消費するべく放送コンテンツを記録するようにユーザーが端末を制御可能な技法が開発されている。しかしながら、このようないくつかの技法においては、ユーザーが、一連のメニューをナビゲートし、所望のコンテンツを記録するように端末を制御する必要がある。更には、これらのいくつかの技法においては、不都合なことに、記録されたコンテンツを保存するための限られたメモリリソースしか具備していないモバイル端末などの端末に対する負担が大きくなる。
【発明の開示】
【０００８】
以上の背景に鑑み、本発明の模範的な実施例は、コンテンツを記録する改善された端末、方法、及びコンピュータプログラムプロダクトを提供している。本発明の模範的な実施例は、端末の１つ又は複数の機能を実行するべく予めプログラムすると共に放送コンテンツを記録するべく構成可能な１つ又は複数のキーを含む端末を提供している。例えば、移動局を稼動させて１つ又は複数の予め定義された機能を実行するべく予めプログラムされたこのような１つ又は複数のキーを、モバイルＴＶアプリケーションなどのクライアントアプリケーションを稼動させて複数チャネルの中の選択されたチャネルｘのコンテンツを記録するべく構成することも可能である。
【０００９】
本発明の実施例の一態様によれば、放送コンテンツを記録するべく端末が提供されている。この端末は、選択されたチャネルのブローキャストコンテンツを受信するべく構成されたプロセッサと、ユーザー入力インターフェイスと、を含んでいる。ユーザー入力インターフェイスは、キーを押下する第１の方式に応答して第１の機能を実行するべく構成されたキーを含んでおり、この場合に、この同一のキーは、キーを押下する第２の方式に応答して第２の異なる機能を実行するべく更に予めプログラムされている。第１の機能は、選択されたチャネルのコンテンツを記録する働きを有しており、第２の機能は、例えば、端末において通話を発信又は受信する働きを有することができる。従って、プロセッサは、ユーザーが第１の方式においてユーザー入力インターフェイスのキーを押下することに応答し、選択されたチャネルのコンテンツを記録するべく更に構成されている。
【００１０】
プロセッサは、ユーザーが第２の方式においてユーザー入力インターフェイスのキーを押下することに応答して第２の機能を実行するべく更に構成可能である。キーを押下する第１の方式は、キーを押下する第２の方式と同一であってもよく、或いは、異なっていてもよい。第１及び第２の方式が同一である際には、プロセッサは、ユーザーが第１の方式においてユーザー入力インターフェイスのキーを押下することに応答して第２の機能を実行するべく更に構成可能である。
【００１１】
又、プロセッサは、放送コンテンツを受信する際に放送コンテンツを消費（例えば、表示）するべく構成可能である。このような例においては、プロセッサは、第２の機能を実行する際に放送コンテンツの消費を少なくとも一時的に中止するべく構成可能である。更には、プロセッサは、例えば、端末を介した又はこれとは独立的な方式において選択されたチャネルのコンテンツを記録するように（例えば、セットトップボックスなどの）リモートネットワークエンティティを制御するべく構成可能である。
【００１２】
本発明の実施例のその他の態様は、放送コンテンツを記録する方法及びコンピュータプログラムプログラムを提供している。従って、本発明の模範的な実施例は、コンテンツを記録するための改善された端末、方法、及びコンピュータプログラムプロダクトを提供している。前述したように、且つ、後述するように、本発明の模範的な実施例の端末、方法、及びコンピュータプログラムプロダクトは、従来技法において識別された問題を解決すると共に、更なる利点を提供可能である。
【００１３】
本発明に関する概略的な説明は、以上において終了し、以下においては、添付の図面を参照するが、これらの添付図面の縮尺は、必ずしも正確ではない。
【発明を実施するための最良の形態】
【００１４】
以下、本発明の好適な実施例を示している添付の図面を参照し、本発明について更に詳細に説明することとする。但し、本発明は、多くの異なる形態において実施可能であると共に、本明細書に記述されている実施例に限定されるものと解釈してはならず、むしろ、これらの実施例は、本開示が十分且つ完全なものになると共に、本発明の範囲が当業者に対して十分に伝達されるように、提供されるものである。本明細書においては、類似の参照符号によって類似の要素を示している。
【００１５】
図１を参照すれば、本発明から利益を享受することになる１つのタイプの端末及びシステムの図が提供されており、この端末は、１つ又は複数のモバイル及び／又は固定ネットワーク内において及び／又はこれに跨って通信する能力を有している。図示のように、端末１０は、（例えば、ＤＶＢ−Ｔ、ＤＶＢ−Ｈ、ＩＳＤＢ−Ｔ、ＡＴＳＣなどの）地上型ＤＶＢネットワークなどのデジタル放送ネットワークを介してデジタルブロードキャスタ（ｄｉｇｉｔａｌ  ｂｒｏａｄｃａｓｔｅｒ）１４との間において信号を送受信するアンテナ１２を包含可能である。端末とデジタルブロードキャスタを直接又は間接的に接続することにより、端末は、１つ又は複数のテレビ、ラジオ、及び／又はデータチャネルのコンテンツなどのコンテンツをデジタルブロードキャスタから受信可能であることが理解されよう。この観点において、デジタルブロードキャスタは、ＤＶＢのＴＸなどの送信機（ＴＸ）１６を包含するか又はこれに結合可能である。同様に、端末は、（図示されてはいない）ＤＶＢ−Ｈ受信機などの受信機を包含することも可能である。端末は、いくつかの異なる方式の中のいずれか１つ又は複数のものにより、いくつかの異なるエンティティの中のいずれかのものからコンテンツを受信可能である。一実施例においては、例えば、端末は、データ、コンテンツ、又はこれらに類似したものを（例えば、ＤＶＢ−ＴやＤＶＢ−Ｈなどの）ＤＶＢ法に従って送信及び／又は受信する能力を有する端末１０’を有することができる。このような一実施例においては、端末１０’は、ＤＶＢのＴＸからコンテンツを受信するアンテナ１２ａと、（図示されてはいない）セルラーネットワークの基地サイト又は基地局（ＢＳ）との間において信号を送受信するための別のアンテナ１２ｂと、を包含可能である。このような端末の更なる情報については、２００１年６月２９日付で出願された「Ｒｅｃｅｉｖｅｒ」という名称の米国特許出願第０９／８９４，５３２号を参照されたい。尚、この内容は、本引用により、そのすべてが本明細書に包含される。
【００１６】
デジタルブロードキャスタ１４に対するＴＸ１６を介した端末１０の直接的な結合に加えて又はこれに代えて、端末は、デジタル放送（ＤＢ）受信端末１８に結合し、このデジタル放送受信端末を、例えば、直接的に及び／又はＴＸを介して、デジタルブロードキャスタに結合することも可能である。このような例においては、デジタル放送受信端末は、セットトップボックスの形態におけるＤＶＢ受信機などのＤＶＢ受信機を有することができる。端末は、例えば、パーソナルエリアネットワークを介してデジタル放送受信端末にローカルに結合可能である。但し、模範的な一実施例においては、端末は、更に、又はこの代わりに、ＬＡＮ（Ｌｏｃａｌ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）、及び／又はインターネット２０などのＷＡＮ（Ｗｉｄｅ  Ａｒｅａ  Ｎｅｔｗｏｒｋ）などのデータネットワークを介してデジタル放送受信端末に間接的に結合することも可能である。端末は、インターネットに対して直接的に結合することも可能であり、或いは、インターネットに対して間接的に結合することも可能である。例えば、端末は、無線ＡＰ（Ａｃｃｅｓｓ  Ｐｏｉｎｔ）２２及び／又はＧＴＷ（ＧａＴｅＷａｙ）２４を介して、インターネットと、従って、デジタル放送受信端末と結合可能である。更には、又はこの代わりに、端末は、パーソナルコンピュータ、サーバーコンピュータ、又はこれらに類似したものなどの１つ又は複数のその他の演算装置２６を介してインターネットに結合することも可能である。このような例においては、端末は、例えば、高周波（Ｒａｄｉｏ  Ｆｒｅｑｕｅｎｃｙ：ＲＦ）、ブルートゥース（登録商標）（ＢｌｕｅＴｏｏｔｈ（登録商標）：ＢＴ）、赤外線（Ｉｎｆｒａｒｅｄ：ＩｒＤＡ）などのいくつかの異なる技法のいずれか、或いは、（例えば、８０２．１１ａ、８０２．１１ｂ、８０２．１１ｇ、８０２．１１ｎなどの）ＩＥＥＥ  ８０２．１１などのＷＬＡＮ（無線ＬＡＮ）法、ＩＥＥＥ  ８０２．１６などのＷｉＭＡＸ法、及び／又はＩＥＥＥ８０２．１５などのＵＷＢ（Ｕｌｔｒａ  ＷｉｄｅＢａｎｄ）法、又はこれらに類似したものを含むいくつかの異なる無線ネットワーキング法のいずれかに従って、ＡＰ及び／又は演算装置に対して結合可能である。
【００１７】
本明細書には、すべての可能なネットワークのすべての要素が図示及び記述されてはおらず、端末１０は、前述のように、１つ又は複数の異なるセルラーネットワークを含むいくつかの異なるネットワークの中のいずれか１つ又は複数のものに結合可能であることを理解されたい。この観点において、１つ又は複数のネットワークは、いくつかの第１世代（１Ｇ）、第２世代（２Ｇ）、２．５Ｇ、及び／又は第３世代（３Ｇ）のモバイル通信プロトコル又はこれらに類似したものの中のいずれか１つ又は複数のものに従って通信をサポートする能力を有することができる。例えば、１つ又は複数のネットワークの中の１つ又は複数のものは、２Ｇ無線通信プロトコルであるＩＳ−１３６（ＴＤＭＡ）、ＧＳＭ、及びＩＳ−９５（ＣＤＭＡ）に従って通信をサポートする能力を有することができる。又、例えば、１つ又は複数のネットワークの中の１つ又は複数のものは、２．５Ｇ無線通信プロトコルであるＧＰＲＳ、ＥＤＧＥ（Ｅｎｈａｎｃｅｄ  Ｄａｔａ  ＧＳＭ  Ｅｎｖｉｒｏｎｍｅｎｔ）、又はこれらに類似したものに従って通信をサポートする能力を有することができる。更には、例えば、１つ又は複数のネットワークの中の１つ又は複数のものは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線アクセス技術を利用したＵＭＴＳ（Ｕｎｉｖｅｒｓａｌ  Ｍｏｂｉｌｅ  Ｔｅｌｅｐｈｏｎｅ  Ｓｙｓｔｅｍ）ネットワークなどの３Ｇ無線通信プロトコルに従って通信をサポートする能力を有することができる。（例えば、デジタル／アナログ又はＴＤＭＡ／ＣＤＭＡ／アナログ電話機などの）デュアル又は高次モードの移動局と同様に、いくつかのＮＡＭＰＳ（Ｎａｒｒｏｗ−ｂａｎｄ  ＡＭＰＳ）及びＴＡＣＳネットワークも本発明の実施例から利益を享受可能である。
【００１８】
次に図２を参照すれば、本発明の一実施例による端末１０、デジタルブロードキャスタ１４、及び／又はデジタル放送受信端末１８として機能可能なエンティティのブロックダイアグラムが示されている。別個のエンティティとして図示されてはいるが、いくつかの実施例においては、１つ又は複数のエンティティは、論理的には別個であるが１つ又は複数のエンティティ内に一緒に配置された状態において、端末、デジタルブロードキャスタ、及び／又はデジタル放送受信端末の中の１つ又は複数のものをサポート可能である。例えば、単一のエンティティが、論理的には別個であるが一緒に配置された端末及びデジタル放送受信端末をサポート可能である。又、例えば、単一エンティティが、論理的には別個であるが一緒に配置されたデジタル放送受信端末及びデジタルブロードキャスタをサポート可能である。
【００１９】
端末１０、デジタルブロードキャスタ１４、及び／又はデジタル放送受信端末１８として動作可能なエンティティは、本明細書に更に具体的に図示及び記述されているものを含む本発明の模範的な実施例に従って１つ又は複数の機能を実行する様々な手段を含んでいる。但し、これらのエンティティの中の１つ又は複数のものは、本発明の精神及び範囲を逸脱することなしに、１つ又は複数の類似した機能を実行する代替手段を包含可能であることを理解されたい。更に詳しくは、例えば、図２に示されているように、エンティティは、メモリ３０に接続されたプロセッサ２８を包含可能である。メモリは、揮発性及び／又は不揮発性メモリを有することが可能であり、これは、コンテンツ、データ、又はこれらに類似したものを保存している。例えば、メモリは、エンティティによって送信されると共に／又は受信されるコンテンツを保存している。又、例えば、メモリは、プロセッサが本発明の模範的な実施例によるエンティティの動作と関連した段階を実行するためのクライアントアプリケーション、命令、又はこれらに類似したものをも保存している。後述するように、例えば、メモリは、１つ又は複数のテレビ、ラジオ、及び／又はデータチャネルのコンテンツを消費するべく、従来のテキストビューア、オーディオプレーヤー、ビデオプレーヤー、マルチメディアビューア、又はこれらに類似したものなどの１つ又は複数のクライアントアプリケーションを保存可能である。
【００２０】
又、例えば、メモリ３０は、１つ又は複数のクライアントアプリケーションと一体である又はこれらとその他の方式によって通信状態にあるＤＲＭ（Ｄｉｇｉｔａｌ  Ｒｉｇｈｔｓ  Ｍａｎａｇｅｍｅｎｔ）エンジンを保存可能であり、この結果、ＤＲＭエンジンにより、ＤＲＭ法に基づいてコンテンツの消費を制御可能である。このようなＤＲＭエンジンは、例えば、ＯＭＡ（Ｏｐｅｎ  Ｍｏｂｉｌｅ  Ａｌｌｉａｎｃｅ）のＤＲＭ規格に定義されているものを含むいくつかの異なるＤＲＭ法のいずれかに従って構成可能である。更には、メモリは、１つ又は複数のクライアントアプリケーションによる消費のために暗号化／暗号解読モジュールによってコンテンツを暗号化できるように、１つ又は複数のクライアントアプリケーション及びＤＲＭエンジンと一体である又はこれらとその他の方式によって通信状態にある暗号解読モジュールを保存することも可能である。この観点において、暗号解読モジュールは、例えば、ＩＰＳｅｃ（Ｉｎｔｅｒｎｅｔ  Ｐｒｏｔｏｃｏｌ  Ｓｅｃｕｒｉｔｙ）、ＳＲＴＰ（Ｓｅｃｕｒｅ  Ｒｅａｌ  Ｔｉｍｅ  Ｔｒａｎｓｐｏｒｔ  Ｐｒｏｔｏｃｏｌ）、又はこれらに類似したものを含むコンテンツを暗号化するいくつかの異なる技法の中のいずれかに従ってコンテンツを暗号解読するべく構成可能である。
【００２１】
本明細書に記述されているように、１つ又は複数のクライアントアプリケーション、ＤＲＭエンジン、及び暗号解読モジュールは、それぞれ、個々のエンティティにおいて稼動するソフトウェアを有している。但し、本明細書に記述されているクライアントアプリケーション、ＤＲＭエンジン、及び暗号解読モジュールの中の１つ又は複数のものは、この代わりに、本発明の精神及び範囲を逸脱することなしに、ファームウェア又はハードウェアを有することも可能であることを理解されたい。この場合には、一般的に、端末１０、デジタルブロードキャスタ１４、及び／又はデジタル放送受信端末１８は、１つ又は複数のクライアントアプリケーション、ＤＲＭエンジン、及び／又は暗号解読モジュールの様々な機能を実行する１つ又は複数のロジック要素を包含可能である。ロジック要素は、いくつかの異なる方式のいずれかにおいて実施可能であることが理解されよう。この観点において、１つ又は複数のクライアントアプリケーション、ＤＲＭエンジン、及び／又は暗号解読モジュールの機能を実行するロジック要素は、個々のネットワークエンティティ（即ち、端末、オリジンサーバー、デジタル放送受信端末、デジタルブロードキャスタなど）と一体である又はこれとその他の方式において通信状態にある１つ又は複数の集積回路を含む集積回路アセンブリにおいて、又は、更に詳しくは、例えば、個々のネットワークエンティティのプロセッサ２８において実施可能である。集積回路の設計は、一般に、高度に自動化されたプロセスである。この観点においては、ロジックレベルの設計を、半導体基板上におけるエッチング及び形成のための準備が完了した半導体回路設計に変換するべく、複雑且つ強力なソフトウェアツールを利用可能である。Ｃａｌｉｆｏｒｎｉａ州のＦｒｅｍｏｎｔに所在するＡｖａｎｔ！  Ｃｏｒｐｏｒａｔｉｏｎ社及びＣａｌｉｆｏｒｎｉａ州のＳａｎ  Ｊｏｓｅに所在するＣａｄｅｎｃｅ  Ｄｅｓｉｇｎ社から提供されているものなどのこれらのソフトウェアツールは、定評のある設計規則、並びに、予め保存された設計モジュールの巨大なライブラリを使用することにより、導体を自動的にルーティングし、半導体チップ上にコンポーネントを配置する。半導体回路の設計が完了したら、結果的に得られた設計を製造のために（例えば、Ｏｐｕｓ、ＧＤＳＩＩ、又はこれらに類似したものなどの）標準化された電子的なフォーマットにおいて半導体製造施設又は「ｆａｂ」に送付可能である。
【００２２】
又、メモリ３０に加えて、プロセッサ２８は、データ、コンテンツ、又はこれらに類似したものを表示、送信、及び／又は受信するべく、少なくとも１つのインターフェイス又はその他の手段に接続することも可能である。この観点において、１つ又は複数のインターフェイスは、データ、コンテンツ、又はこれらに類似したものを送信すると共に／又はこれらを受信するための少なくとも１つの通信インターフェイス３２又はその他の手段と、ディスプレイ３４及び／又はユーザー入力インターフェイス３６を包含可能な少なくとも１つのユーザーインターフェイスと、を包含可能である。そして、ユーザー入力インターフェイスは、キーパッド、タッチディスプレイ、ジョイスティック、（例えば、デジタルカメラなどの）画像キャプチャ装置、又はその他の入力装置などの、エンティティがユーザーからデータを受信できるようにするいつかの装置の中のいずれかを有することが可能である。更に詳しくは、例えば、ユーザー入力インターフェイスは、順序付けされたコンテンツチャネルなどの順序付けされた項目を方向によって選択するための１つ又は複数の方向キー（ハード及び／又はソフトキー）を包含可能である。又、例えば、ユーザー入力インターフェイスは、画像キャプチャ装置を稼動させるキー（ハード及び／又はソフトキー）を包含することも可能である。
【００２３】
次に図３を参照すれば、これは、本発明の一実施例によるデジタル放送受信端末１８の機能ブロックダイアグラムを示している。図示のように、デジタル放送受信端末は、デジタルブロードキャスタ１４から信号を受信すると共に信号を受信機（ＲＸ）４０内に供給するアンテナ３８を含んでいる。そして、受信機は、例えば、コンテンツデータを抽出するべく、信号を暗号解読、復調、及び／又は逆多重化する能力を有している。受信機は、コンテンツデータをプロセッサ４２に供給可能であり、次いで、このプロセッサがコンテンツデータを復号可能である。次いで、プロセッサは、復号済みの信号をオーディオ／ビデオ（Ａ／Ｖ）インターフェイス４４に供給可能であり、このＡ／Ｖインターフェイスが、信号を、テレビ４６などのモニターによる表示に好適な形態に変換可能である。
【００２４】
デジタル放送受信端末１８は、データの一時的な保存のためのキャッシュエリアを含む揮発性ランダムアクセスメモリ（ＲＡＭ）などの揮発性メモリ４８を包含可能である。又、デジタル放送端末は、不揮発性メモリ５０をも包含可能であり、これは、組み込むことも可能であると共に／又は、着脱式であってもよい。更には、又はこの代わりに、不揮発性メモリは、ＥＥＰＲＯＭ、フラッシュメモリ、ハードディスク、又はこれらに類似したものを有することも可能である。メモリは、デジタル放送受信端末の機能を実装するべくデジタル放送受信端末によって使用されるいくつかの情報、コンテンツ、及びデータ片のいずれかを保存可能である。例えば、前述のように、メモリは、デジタルブロードキャスタ１４から受信したものなどのコンテンツを保存可能である。
【００２５】
又、デジタル放送受信端末１８は、端末１０及び／又はデジタルブロードキャスタ１４などの電子装置からのデータを共有及び／又は入手するべく１つ又は複数のインターフェイス手段を包含することも可能である。更に詳しくは、デジタル放送受信端末は、インターネット２０などのネットワークからのデータを共有及び／又は入手するべくネットワークインターフェイス手段５２を包含可能である。例えば、デジタル放送受信端末は、インターネットなどのネットワークとの間においてデータを送信及び／又は受信するべく構成されたＥｔｈｅｒｎｅｔ（登録商標）のＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードを包含可能である。
【００２６】
次の図４を参照すれば、これは、本発明の一実施例のデジタルブロードキャスタ１４の機能ブロックダイアグラムを示している。図示のように、デジタルブロードキャスタは、放送用のデジタル放送サービスプロバイダ５６にコンテンツを提供可能な１つ又は複数の放送設備５４を包含可能である。それぞれの放送設備は、データの一時保存のためのキャッシュエリアを含む揮発性ランダムアクセスメモリ（ＲＡＭ）などの揮発性メモリを包含可能である。又、デジタルブロードキャスタは、不揮発性メモリをも包含可能であり、これは、組み込むことも可能であると共に／又は、着脱式であってもよい。更には、又はこの代わりに、不揮発性メモリは、ＥＥＰＲＯＭ、フラッシュメモリ、ハードディスク、又はこれらに類似したものを有することも可能である。メモリは、例えば、商用及び／又は非商用放送のテレビ及び／又はラジオコンテンツの１つ又は複数のチャネルなどの放送コンテンツを保存するべく、コンテンツストレージ５８を包含可能である。但し、コンテンツストレージ内に保存された１つ又は複数のコンテンツ片の包含に加えて、放送設備は、長時間にわたってコンテンツストレージ内に予め保存しておくことができないニュース、スポーツイベント、又はこれらに類似したものなどのライブ放送コンテンツの１つ又は複数のチャネルを提供することも可能であることを理解されたい。更には、例えば、放送設備は、１つ又は複数の予め保存されたニュースストーリーと、ニュースストーリー用のニュースアンカーによるライブの談話を包含可能な放送ニュースコンテンツなどの予め保存された及びライブの放送コンテンツを含むチャネルを提供することも可能である。但し、コンテンツが予め保存されているか又はライブであるかとは無関係に、模範的な一実施例のデジタルブロードキャスタは、図５のチャネルリスト６０に示されているように、これらのコンテンツをｎ個の順序付けされたチャネル上において放送可能である。
【００２７】
デジタル放送受信端末１８と同様に、デジタルブロードキャスタ１４のデジタル放送サービスプロバイダ５６は、データの一時的な保存のためのキャッシュエリアを含む揮発性ランダムアクセスメモリ（ＲＡＭ）などの揮発性メモリ６２を包含可能である。又、デジタルブロードキャスタは、不揮発性メモリ６４をも包含可能であり、これは、組み込むことも可能であると共に／又は、着脱式であってもよい。更には、又はこの代わりに、不揮発性メモリは、ＥＥＰＲＯＭ、フラッシュメモリ、ハードディスク、又はこれらに類似したものを有することも可能である。メモリは、デジタルブロードキャスタの機能を実装するべくデジタルブロードキャスタによって使用されるいくつかの情報、コンテンツ、及びデータ片のいずれかを保存可能である。例えば、前述のように、メモリは、テレビチャネルのコンテンツ、並びに、放送設備５４から供給可能なものなどのいくつかのその他のテレビ、ラジオ、及び／又はデータチャネルのその他のコンテンツなどのコンテンツを保存可能である。
【００２８】
又、デジタルブロードキャスタ１４のデジタル放送サービスプロバイダ５６は、マルチプレクサ６６をも包含可能であり、これは、放送設備５４から供給されるものなどのいくつかのテレビ、ラジオ、及び／又はデータチャネルのコンテンツを多重化する能力を有することが可能である。この観点において、マルチプレクサは、放送設備のコンテンツストレージ５８内に保存されているスケジュール６０に従って放送のコンテンツを多重化する能力を有することができる。次いで、マルチプレクサは、この結果得られた信号をＴＸ１６に供給可能であり、このＴＸは、図１に示されているように、デジタルブロードキャスタ、又は、更に詳しくは、デジタル放送サービスプロバイダとは別個であってもよく、或いは、図４に示されているように、デジタルブロードキャスタに内蔵することも可能である。
【００２９】
デジタルブロードキャスタ１４との関係におけるＴＸ１６の配置場所とは無関係に、ＴＸは、暗号化、変調、増幅、及び／又は、例えば、アンテナ６８を介した送信のために、マルチプレクサ６６から信号を受信可能である。例えば、デジタルブロードキャスタは、例えばＤＶＢ−Ｔなどのデジタル放送技法に従って、デジタル放送受信端末１８及び／又は端末１０に対してコンテンツを直接又は間接的に送信する能力を有することができる。この観点において、デジタルブロードキャスタは、コンテンツストレージ５８によって保存されたスケジュール６０内の個々のコンテンツ片に規定されている時間に従って、放送設備５４のコンテンツストレージ５８内に保存された１つ又は複数の放送コンテンツ片及び／又は１つ又は複数のライブ放送コンテンツ片を含む放送コンテンツを送信する能力を有することができる。尚、ＤＶＢ−Ｔに関する情報については、「Ｄｉｇｉｔａｌ  Ｖｉｄｅｏ  Ｂｒｏａｄｃａｓｔｉｎｇ（ＤＶＢ）：  Ｆｒａｍｉｎｇ  Ｓｔｒｕｃｔｕｒｅ，  Ｃｈａｎｎｅｌ  Ｃｏｄｉｎｇ  ａｎｄ  Ｍｏｄｕｌａｔｉｏｎ  ｆｏｒ  Ｄｉｇｉｔａｌ  Ｔｅｒｒｅｓｔｒｉａｌ  Ｔｅｌｅｖｉｓｉｏｎ」（ｖ．１．１．２（１９９７年））という名称のＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）規格であるＥＮ  ３００  ７４４及びこれに関連した仕様を参照されたい。この内容は、本引用により、そのすべてが本明細書に包含される。
【００３０】
ＤＶＢ−Ｈなどのいくつかのデジタル放送技法に従って、ＩＰＤＣ（ＩＰ（Ｉｎｔｅｒｎｅｔ  Ｐｒｏｔｏｃｏｌ）  Ｄａｔａｃａｓｔｉｎｇ）を利用することにより、オーディオ、ビデオ、及び／又はその他のコンテンツを端末１０に供給可能である。この観点において、デジタルブロードキャスタ１４は、デジタル放送技法を利用することにより、ＩＰデータキャスティングコンテンツを端末に供給する能力を有することができる。例えば、ＤＶＢ−Ｈは、ＭＰＥＧ−２トランスポートストリームを使用しており、従って、デジタルブロードキャスタ、又は更に詳しくは、ＴＸ１６から送信されるＤＶＢ送信信号内にＩＰデータをカプセル化可能である。ＩＰデータグラムを含むデータストリームは、いくつかの供給源から供給可能であり、且つ、（図示されてはいない）ＩＰエンキャプスレータによってカプセル化可能である。そして、ＩＰエンキャプスレータ（ＩＰ  ｅｎｃａｐｓｕｌａｔｏｒ）は、カプセル化済みのＩＰデータストリームを（例えば、ＤＶＢ−Ｈなどの）デジタル放送ネットワーク内に供給可能である。
【００３１】
次いで、これらのカプセル化済みのＩＰデータストリームを１つ又は複数の送信サイトに搬送可能であり、この場合に、これらの送信サイトは、データ放送ネットワークのセルを形成している。例えば、直接的に端末に対して又は１つ又は複数の端末にサービスしている受信局に対して無線によって後から送信するべく、カプセル化済みのＩＰデータストリームをＭＰＥＧ−２トランスポートストリーム上において１つ又は複数の送信サイトに搬送可能である。ＩＰエンキャプスレータによる生成から端末又は受信局による受信まで、ＭＰＥＧ−２トランスポートストリームの特性は、単一方向性であってよいことが理解されよう。この観点において、データを格納しているＩＰパケットは、トランスポートストリームパケット内において搬送されるＭＰＥ（Ｍｕｌｔｉ−Ｐｒｏｔｏｃｏｌ  Ｅｎｃａｐｓｕｌａｔｉｏｎ）セクションに埋め込み可能である。
【００３２】
又、ＩＰパケットに加えて、ＭＰＥセクションは、ＦＥＣ（Ｆｏｒｗａｒｄ  Ｅｒｒｏｒ  Ｃｏｒｒｅｃｔｉｏｎ）情報及び時間スライス情報を包含することも可能である。時間スライス情報などの情報を包含することにより、データが受信機に送信されない際にはスイッチオフすることによって電池電力を節約可能な（例えば、端末１０などの）受信機との間においてデータを間歇的に搬送可能である。換言すれば、時間スライス法によれば、（例えば、ＤＶＢ−Ｔなどの）連続したデジタル放送の送信という現時点における既定の方法を使用する代わりに、時分割多重化タイプの割り当て法を利用可能である（例えば、ＤＶＢ−Ｈ規格を参照されたい）。このような方法によれば、サービスをバーストとして提供することにより、受信機は、データを受信していない際にはパワーダウンすると共に、必要に応じて、パワーアップしてデータパケットを受信可能である。
【００３３】
図６及び図７は、それぞれ、本発明の模範的な実施例による端末１０として動作可能な移動局の機能ブロックダイアグラム及び概略図を示している。尚、この図示されており、且つ、後述される移動局は、本発明の利益を享受することになる１つのタイプの端末を例示しているに過ぎず、従って、本発明の範囲を限定するものと解釈するべきではないことを理解されたい。例示を目的として、移動局のいくつかの実施例を図示し、且つ、後述しているが、ＰＤＡ（Ｐｏｒｔａｂｌｅ  Ｄｉｇｉｔａｌ  Ａｓｓｉｓｔａｎｔ）、ページャー、ラップトップコンピュータ、及びその他のタイプの音声及びテキスト通信システムなどのその他のタイプの移動局も本発明を容易に利用可能である。
【００３４】
移動局は、本明細書に更に詳しく図示及び説明されているものを含む本発明の模範的な実施例による１つ又は複数の機能を実行する様々な手段を含んでいる。但し、移動局は、本発明の精神及び範囲を逸脱することなしに、１つ又は複数の類似した機能を実行する代替手段を包含可能であることを理解されたい。更に詳しくは、例えば、図６に示されているように、移動局は、送信機７０、受信機７２、並びに、それぞれ、送信機及び受信機との間において信号を供給及び受信するコントローラ７４を含んでいる。これらの信号は、適用可能なセルラーシステムの無線インターフェイス規格に準拠したシグナリング情報と、ユーザースピーチ及び／又はユーザー生成データを含んでいる。この観点において、移動局は、１つ又は複数の無線インターフェイス規格、通信プロトコル、変調タイプ、及びアクセスタイプに従って動作する能力を有することができる。更に詳しくは、移動局は、いくつかの第１世代（１Ｇ）、第２世代（２Ｇ）、２．５Ｇ、及び／又は第３世代（３Ｇ）通信プロトコル、或いは、これらに類似したもののいずれかに従って動作する能力を有することが可能である。例えば、移動局は、２Ｇ無線通信プロトコルであるＩＳ−１３６（ＴＤＭＡ）、ＧＳＭ、ＩＳ−９５（ＣＤＭＡ）、又はこれらに類似したものに従って動作する能力を有することができる。又、例えば、移動局は、２．５Ｇ無線通信プロトコルであるＧＰＲＳ、ＥＤＧＥ（Ｅｎｈａｎｃｅｄ  Ｄａｔａ  ＧＳＭ  Ｅｎｖｉｒｏｎｍｅｎｔ）、又はこれらに類似したものに従って動作する能力を有することも可能である。更には、又はこの代わりに、移動局は、（例えば、ＤＶＢ−Ｔ、ＥＴＳＩ規格ＥＮ  ３００  ７４４などの）ＤＶＢ法などのいくつかの異なるデジタル放送技法のいずれかに従って動作する能力を有することも可能である。又、移動局は、（例えば、３ＧＰＰ  ＴＳ２２．１４６などの）ＭＢＭＳ法のようないくつかの異なる放送及び／又はマルチキャスト法のいずれかに従って動作する能力を有することも可能である。更には、移動局は、ＩＳＤＢ−Ｔ、ＤＡＢ、ＡＴＳＣ法、又はこれらに類似したものに従って動作する能力を有することも可能である。（例えば、デジタル／アナログ又はＴＤＭＡ／ＣＤＭＡ／アナログ電話機などの）デュアル又は更に高次モードの移動局と同様に、いくつかのＮＡＭＰＳ（Ｎａｒｒｏｗ−ｂａｎｄ  ＡＭＰＳ）、並びに、ＴＡＣＳ移動局も、本発明の実施例の利益を享受可能である。
【００３５】
コントローラ７４は、移動局のオーディオ及びロジック機能を実装するのに必要な回路を含んでいることを理解されたい。例えば、コントローラは、デジタル信号プロセッサ装置、マイクロプロセッサ装置、並びに、様々なアナログ／デジタルコンバータ、デジタル／アナログコンバータ、並びに、その他のサポート回路から構成可能である。移動局の制御及び信号処理機能は、その個々の能力に応じて、これらの装置の間において割り当てられている。従って、コントローラは、変調及び送信の前に、メッセージ及びデータを重畳エンコード及びインターリーブするための機能をも含んでいる。更には、コントローラは、内部ＶＣ（Ｖｏｉｃｅ  Ｃｏｄｅｒ）７４ａを包含可能であり、且つ、内部ＤＭ（Ｄａｔａ  Ｍｏｄｅｍ）７４ｂをも包含可能である。更には、コントローラは、１つ又は複数のソフトウェアアプリケーションを稼動させる機能を包含することも可能であり、これらのソフトウェアアプリケーションは、メモリ内に保存可能である。
【００３６】
又、移動局は、従来のイヤフォン又はスピーカー７６、電鈴７８、マイクロフォン８０、ディスプレイ８２、及びユーザー入力インターフェイスを含むユーザーインターフェイスをも有しており、これらは、いずれも、コントローラ７４に結合されている。ディスプレイは、データ及びメニューなどのいくつかの異なる表示のいずれかを提示可能である。又、ディスプレイは、それぞれ、ソフトキー８４ａ及び８４ｂを押下することによって起動可能なソフトキー機能用の表示エリアを表示することも可能である。ユーザー入力インターフェイスは、例えば、ディスプレイ上に表示されたメニュー項目を通じてスクロールすると共に／又はその他の方向動作の実行を制御するべく、方向キー（←、↑、→、↓）８６を包含可能である。方向キーは、別個の方向キー、或いは、このような方向キーの機能を実行する能力を有するローリングシリンダ、ボール、又はこれらに類似したものなどの単一要素によるなど、いくつかの異なる方式において実装可能である。方向キーに加えて、ユーザー入力インターフェイスは、キーパッド８８、（図示されてはいない）タッチディスプレイ、又はその他の入力装置など、移動局がデータを受信できるようにするその他の要素を包含することも可能である。
【００３７】
キーパッド８８を含む実施例においては、キーパッドは、従来の数字（０〜９）及び関連キー（＃、＊）と、移動局を操作するためのその他のキーを含んでいる。その他のキーは、送出通話を起動すると共に／又は到来通話を受信するためのキー８８ａ、確立された通話を終了させるためのキー８８ｂ、及び／又は画像キャプチャ装置を駆動して画像をキャプチャするためのキー８８ｃなどの特定機能を実行するべく移動局を稼動させるように予めプログラムされたキーを有することが可能である。尚、本明細書においては、いくつかのキーが、キーパッド上のハードキーを有するものとして図示及び説明されているが、このようなキーの中のいずれか１つ又は複数のものは、本発明の模範的な実施例の精神及び範囲を逸脱することなしに、それぞれのソフトキー機能を稼動させるソフトキーを同様に有することも可能であることを理解されたい。同様に、ソフトキー機能を稼動させるソフトキーを有するものとして図示及び説明されているキーの場合にも、本発明の模範的な実施例の精神及び範囲を逸脱することなしに、それぞれのハードキーを同様に有することが可能である。
【００３８】
又、移動局１０は、データを共有すると共に入手するべく、１つ又は複数の送信機、受信機、及び／又はトランシーバ９０などの１つ又は複数の手段を包含することも可能である。例えば、移動局は、データをＲＦ技術に従って電子装置との間において共有すると共に／又はそれらから入手できるように、近距離高周波（ＲＦ）トラシーバ又は問合せ装置を包含可能である。更には、又はこの代わりに、移動局は、例えば、赤外線（ＩＲ）トランシーバ、並びに／或いは、Ｂｌｕｅｔｏｏｔｈ（登録商標）  Ｓｐｅｃｉａｌ  Ｉｎｔｅｒｅｓｔ  Ｇｒｏｕｐによって開発されたＢｌｕｅｔｏｏｔｈ（登録商標）ブランドの無線技術を使用して動作するＢｌｕｅｔｏｏｔｈ（登録商標）（ＢＴ）トランシーバなどのその他の近距離トランシーバを包含することも可能である。従って、更には、又はこの代わりに、移動局は、このような技法に従って電子装置に対してデータを送信すると共に／又はそれらからデータを受信する能力を有することも可能である。更には、移動局は、移動局がいくつかの異なる電子画像生成法のいずれかに従って画像データを入手することができるように、デジタルカメラ、ＣＣＤ（Ｃｈａｒｇｅ  Ｃｏｕｐｌｅｄ  Ｄｅｖｉｃｅ）、光学スキャナ、又はこれらに類似したものなどの画像キャプチャ要素９２を包含することも可能である。更には、又はこの代わりに、図示されてはいないが、移動局は、ＷＬＡＮ、ＷｉＭＡＸ、ＵＷＢ法、又はこれらに類似したものを含むいくつかの異なる無線ネットワーキング法に従って電子装置にデータを送信すると共に／又はこれらからデータを受信する能力を有することも可能である。
【００３９】
移動局は、加入者識別モジュール（ＳＩＭ）９４、着脱自在のユーザー識別モジュール（Ｒ−ＵＩＭ）、又はこれらに類似したものなどのメモリを更に包含可能であり、これらのメモリは、モバイル加入者に関係した情報要素を保存可能である。ＳＩＭに加えて、移動局は、その他のメモリを包含することも可能である。この観点において、移動局は、デジタル放送受信端末１８及びデジタルブロードキャスタ１４と同様に、揮発性メモリ９６を包含可能である。又、この場合にも、移動局は、デジタル放送受信端末及びデジタルブロードキャスタと同様に、その他の不揮発性メモリ９８を包含することも可能であり、これは、組み込むことも可能であると共に／又は、着脱式であってもよい。例えば、その他の不揮発性メモリは、組み込まれた又は着脱自在のマルチメディアメモリカード（ＭＭＣ）、Ｓｏｎｙ（登録商標）  Ｃｏｒｐｏｒａｔｉｏｎ社によって製造されたＭｅｍｏｒｙ  Ｓｔｉｃｋ、ＥＥＰＲＯＭ、フラッシュメモリ、ハードディスク、又はこれらに類似したものを有することができる。
【００４０】
メモリ９４、９６、９８は、移動局の機能を実装するべく移動局によって使用されるいくつかの情報及びデータ片のいずれかを保存可能である。例えば、メモリは、移動局を一意に識別する能力を有するＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｃａｔｉｏｎ）コードなどの識別子を保存可能である。又、メモリは、１つ又は複数のテレビ、ラジオ、及び／又はデータチャネルのコンテンツを消費するべく、従来のテキストビューア、オーディオプレーヤー、ビデオプレーヤー、マルチメディアビューア、又はこれらに類似したものなどの１つ又は複数のクライアントアプリケーションを保存することも可能である。尚、前述のように、１つ又は複数のクライアントアプリケーションは、個々のエンティティによって稼動するソフトウェアを有することも可能であるが、この代わりに、１つ又は複数のこのようなアプリケーションは、ファームウェア又はハードウェアを有することも可能である。
【００４１】
背景の節において説明したように、ユーザーが端末１０を操作して特定のチャネルの放送コンテンツを消費又はその他の方式において閲覧している際に、ユーザーが、通話の発信又は受信などの１つ又は複数のその他の機能を実行するように自身の端末を制御することを所望する場合がある。そして、後から消費するべく放送コンテンツを記録しつつ、その他の機能を実行するように、ユーザーが端末を制御する技法は開発されてはいるが、いくつかのこれらの技法においては、ユーザーは、一連のメニューを通じてナビゲートして所望のコンテンツを記録するように端末を制御する必要がある。従って、本発明の模範的な実施例の端末は、（１つ又は複数のソフトキー機能と関連した）１つ又は複数のソフトキー８４ａ及び８４ｂ及び／又はキーパッド８８のキーなどの１つ又は複数のキーを端末の１つ又は複数の機能を実行するべく予めプログラムできるように構成すると共に、放送コンテンツを記録するように構成可能である。この観点において、１つ又は複数の予め定義された機能を実行するように移動局を稼動させるべく予めプログラムされた１つ又は複数のこのようなキーは、モバイルＴＶアプリケーションなどのクライアントアプリケーションを稼動させて複数のチャネルの中の選択されたチャネルｘのコンテンツを記録するべく構成することも可能である。このような例においては、１つ又は複数の個々のキーは、個々のチャネルのコンテンツを現在受信及び消費（例えば、再生）しているクライアントアプリケーションに基づいて、選択されたチャネルのコンテンツを記録するべく構成可能である。
【００４２】
従って、例えば、端末ユーザーが端末１０を操作して選択されたチャネルｘのコンテンツを受信及び消費している際に、端末が到来音声通話を受信したと仮定しよう。このような例においては、端末は、個々のキーと関連付けられた予めプログラムされた機能を実行するべく（例えば、到来通話を受信するべく）構成可能である。更には、クライアントアプリケーションが、選択されたチャネルのコンテンツを受信及び消費している間にユーザーが端末キーパッド８８のキー８８ａを押下した際に、端末が、選択されたチャネルのコンテンツの記録を開始するように更に稼動するべく、端末を構成可能である。従って、ユーザーが放送コンテンツの消費と到来音声通話の受信の間において選択することを必要としたり、或いは、ユーザーが一連のメニューを通じてナビゲートすることを必要とする代わりに、ユーザーは、後で消費するべく放送コンテンツを記録しつつ、到来通話に迅速に応答し、端末のその他の機能を実行可能である。
【００４３】
別の更に一般的な例においては、ユーザーが端末１０を操作して選択されたチャネルｘのコンテンツを受信及び消費している際に、ユーザーが、その他の機能を実行するべく端末を制御することを所望すると共に、選択されたチャネルのコンテンツの消費を直後に継続することを所望したと仮定しよう。このような例においては、キーパッドのキー８８ｃを押下することにより、端末が稼動し、画像キャプチャ装置が駆動されて画像をキャプチャするように、端末を構成可能である。但し、現時点において選択されているチャネルｘの記録を迅速に実現するべく、クライアントアプリケーションが選択されたチャネルのコンテンツを受信及び消費している際に個々のキーを押下及び（例えば、２〜３秒にわたって）保持することにより、端末が稼動し、選択されたチャネルのコンテンツの記録を開始するように、この同一のキー８８ｃを構成することも可能である。
【００４４】
選択されたチャネルの放送コンテンツを記録するようにクライアントアプリケーションを稼動させることが可能な速度を改善するために、クライアントアプリケーションを追加して稼動させるべく、移動局の１つ又は複数の予めプログラムされたキー（１つ又は複数のソフトキー機能用のソフトキー及び／又はハードキーパッドのキー）を構成可能である。いくつかの方式の中のいずれか１つにおいて、１つ又は複数のキーを構成可能であるが、次に図８を参照すれば、模範的な一実施例に従って、ブロック１００に示されているように、端末ユーザーによって選好メニューがアクセスされることにより、１つ又は複数のキーを構成可能である。この結果、ユーザーは、選好メニューからキー構成メニューを選択可能である。次いで、ユーザーは、ブロック１０２及び１０４に示されているように、所望のキーを選択し、この後に、（例えば、押下、ダブル押下、押下した後に保持などの）クライアントアプリケーションを起動するべくキーを押下する方式を選択可能である。例えば、ユーザーは、キー８８ａと、このキーの押下をクライアントアプリケーションを起動する方式として選択すると共に／又は、キー８８ｃと、このキーの押下及び保持をクライアントアプリケーションを起動する方式として選択可能である。この観点において、コンテンツを記録するクライアントアプリケーションを起動するべく選択されたキーを押下する方式は、個々のキーの予めプログラムされた機能を実行するべく端末を稼動させるためのものと同一であってもよく、或いは、異なっていてもよい。選択されたキーを押下する方式が同一である場合には、選択されたキーを押下することにより、予めプログラムされている機能の端末による実行に加えて、その記録機能を実行するようにクライアントアプリケーションを稼動させることができる。しかしながら、選択されたキーを押下する方式が異なる場合には、選択されたキーをそれらの異なる方式に従って押下することにより、個々に、その記録機能を実行するようにクライアントアプリケーションを稼動させるか、又は予めプログラムされた機能を実行するように端末を稼動させることが可能である。
【００４５】
選択されたチャネルの放送コンテンツを記録するようにクライアントアプリケーションを稼動させるためのキーと、そのキーを押下する方式を選択した後に、ブロック１０６に示されているように、個々のキー及び押下する方式を、不揮発性メモリなどのメモリ内に保持されている選択テーブル内に保存可能である。選択されたキー及びそのキーを押下する方式を保存した後に、ブロック１０８に示されているように、端末ユーザーは、必要に応じて、放送されたコンテンツを記録するようにクライアントアプリケーションを更に稼動させるべく、その他のキー及び／又はそれらのキーを押下する方式を構成可能である。ユーザーがその他のキー及び／又はそれらの同一又はその他のキーを押下する方式を構成することを所望する場合には、ユーザーは、別のキー又は既に構成済みのキーを選択する別の方式を選択することにより、このプロセスを反復可能である。
【００４６】
選択されたチャネルｘの放送コンテンツを記録するようにクライアントアプリケーションを稼動させるためのキー及びそれらのキーを押下する方式を保存した後に、クライアントアプリケーションを稼動させることにより、放送コンテンツの受信及び消費を開始可能である。次に図９及び図１０を参照すれば、これらは、それぞれ、本発明の好適な一実施例による端末１０の機能ブロックダイアグラムと、放送コンテンツを記録する方法のフローチャートを示している。更に詳しくは、図９は、コンテンツ供給源１００からチャネルの組の中の１つ又は複数のチャネルの放送コンテンツを受信する端末の機能ブロックダイアグラムを示している。尚、後述するコンテンツ供給源は、デジタルブロードキャスタ１４を有しているが、コンテンツ供給源は、本発明の模範的な実施例に従ってコンテンツを放送する能力を有する（例えば、デジタル放送受信端末１８などの）いくつかの異なる供給源のいずれかを有することが可能であることを理解されたい。又、後述するように、図９及び図１０の実施例との関連において本明細書に記述されている端末は、端末１０を有することができる。但し、端末は、本発明の精神及び範囲を逸脱することなしに、デジタル放送受信端末を同様に有することも可能であることを理解されたい。更には、放送コンテンツは、１つ又は複数のテレビ及び／又はラジオチャネル用のものとして表現可能であるが、放送コンテンツは、いくつかの異なるタイプのコンテンツのいずれかを有することが可能であると共に、いくつかの異なる有線及び／又は無線転送法のいずれかに従って端末において受信可能であることを理解されたい。
【００４７】
図９に示されているように、端末１０は、複数の順序付けされたチャネルの中の選択されたチャンネルｘのコンテンツを受信及び消費（例えば、再生）するべく、モバイルＴＶアプリケーションなどのクライアントアプリケーション１１２を動作させることが可能である。クライアントアプリケーションを実行又はその他の方式において稼動させた後に、端末ユーザーは、図１０のブロック１２０に示されているように、選択されたチャネルのコンテンツを受信及び消費するようにクライアントアプリケーションを制御可能である。例えば、クライアントアプリケーションは、ユーザーが所望のチャネルを選択可能なチャネルリスト６０を含むユーザーインターフェイス（ＵＩ）を提示するべく構成可能である。選択されたチャネルｘのコンテンツを受信及び消費するようにクライアントアプリケーションを制御する方法とは無関係に、この後に、アプリケーションは、端末の受信機（ＲＸ）１１４を介してコンテンツ供給源１１０から選択されたチャネルのコンテンツを受信している。受信機は、例えば、ＤＶＢ、ＧＰＲＳ、ＥＤＧＥ、又はこれらに類似したものによって規定された技法などのいくつかの異なる転送法のいずれか従ってコンテンツ供給源から選択されたチャネルのコンテンツを受信可能である。そして、この選択されたチャネルのコンテンツは、そのコンテンツをデジタルブロードキャスタ１４に供給している放送設備５４が維持するコンテンツストレージ５８によって保存されたコンテンツを有することができる。
【００４８】
クライアントアプリケーション１１２が選択されたチャネルｘのコンテンツを受信及び消費する際には、端末ユーザーは、単独で又は端末１０の別の機能の実行との関連において、その選択されたチャネルのコンテンツを記録するべく決定可能である。このような例においては、ブロック１２２及び１２４に示されているように、端末ユーザーは、構成されたキー（ソフトキー機能用のソフトキー及び／又はハードキーパッドキー）を構成された方式において押下することにより、記録モードに入るようにクライアントアプリケーションを制御すると共に、選択されたチャネルｘの放送コンテンツを記録（第１の機能を実行）可能である。例えば、しかるべく構成されている場合には、端末ユーザーは、キー８８ａを押下するか、又はキー８８ｃを押下した後に保持することにより、記録モードに入ると共に選択されたチャネルｘの放送コンテンツを記録するようにクライアントアプリケーションを制御可能である。次いで、クライアントアプリケーションは、選択されたチャネルｘのコンテンツを記録すると共に、記録されたコンテンツをデータベース１１６内に（例えば、メモリ３０、揮発性メモリ４８、不揮発性メモリ５０、揮発性メモリ９６、不揮発性メモリ９８内に）保存するべく動作可能である。
【００４９】
クライアントアプリケーション１１２が記録モードに入って選択されたチャネルの放送コンテンツを記録する前、後、又は最中に、１つ又は複数のその他の機能（第２の後続の機能）を実行するべく、端末を稼動させることができる。この観点において、クライアントアプリケーションを稼動させるべく構成されたものと同一の方式において個々のキーを押下することに応答して予め定義された機能を実行するべく、端末が構成されている場合には、ブロック１２６及び１２８に示されているように、クライアントアプリケーションが記録モードに入る前、後、又は最中に個々の機能を実行するように、端末を稼動させることが可能である。前述のように、このようなその他の機能は、例えば、ユーザーが端末キーパッド８８のキー８８ａを押下した際に、音声通話を起動又はこれに応答する段階を包含可能である。
【００５０】
ブロック１３０に示されているように、クライアントアプリケーション１２０は、例えば、いくつかの異なるイベントの中の１つ又は複数のものが発生する時点まで、選択されたチャネルｘのコンテンツの記録を継続可能である。例えば、クライアントアプリケーションは、データベース１１６内における記録されたコンテンツのサイズが第１閾値を超過する時点まで、並びに／又は、データベースの利用可能な部分が第２閾値を下回る時点まで、選択されたチャネルのコンテンツの記録を継続可能である。更には、又はこの代わりに、例えば、クライアントアプリケーションは、個々のコンテンツを含む番組が終了する時点まで、選択されたチャネルのコンテンツを記録する段階を継続することも可能である。
【００５１】
更には、端末１０が別の機能を実行するべく稼動する際にコンテンツを記録するようにクライアントアプリケーション１１２を稼動させる際などの様々な例においては、端末ディスプレイ８２は、個々の放送コンテンツの提示を少なくとも一時的に中止可能である。そのような例においては（又は、その他の例においても）、クライアントアプリケーションが、選択されたチャネルのコンテンツの記録を開始する際に、クライアントアプリケーションは、それぞれのチャネルの記録タイムアウトを初期化可能である。この結果、クライアントアプリケーションは、記録タイムアウトが満了する時点まで、選択されたチャネルのコンテンツの記録を継続可能であり、この場合に、記録タイムアウトは、記録の最中の１つ又は複数の段階において再初期化することも可能であり、そうでなくてもよい。この観点において、ディスプレイが個々の放送コンテンツの提示に復帰するのに応答するか、又は記録タイムアウトの満了が切迫していることを端末ユーザーに通知し、個々の記録タイムアウトをリセットせよというユーザーからの指示を受領することによるなど、いくつかのその他の方式において記録タイムアウトを再初期化又はその他の方法でリセット可能である。
【００５２】
選択されたチャネルｘのコンテンツを記録する最中及び／又はその後の１つ又は複数の段階において、ユーザーが、記録されたコンテンツを消費するようにクライアントアプリケーション１１２を制御することによるなど、記録されたコンテンツを体験することを所望する場合がある。このような例においては、クライアントアプリケーションは、記録されたコンテンツを消費するべく継続可能である。クライアントアプリケーションがコンテンツの記録を中止する前に、記録されたコンテンツを消費するようにユーザーがクライアントアプリケーションを制御した場合には、クライアントアプリケーションは、いくつかの異なる方式において応答可能である。例えば、クライアントアプリケーションは、記録の開始点から始めることにより、クライアントアプリケーションがコンテンツを記録したものと同一の順序において記録されたコンテンツを消費すると共に、個々のチャネルのコンテンツの記録を継続可能である。
【００５３】
本明細書に図示及び説明されているように、クライアントアプリケーション１１２は、選択されたチャネルｘのコンテンツを記録すると共に、記録されたコンテンツをデータベース１１６内に保存するべく稼動させることができる。但し、様々な例においては、クライアントアプリケーションは、記録されたコンテンツの保存、或いは、記録されたコンテンツの記録及び保存の両方の負荷を除去可能であることを理解されたい。例えば、クライアントアプリケーションが、選択されたチャネルのコンテンツを記録する前、後、又は最中に、クライアントアプリケーションは、セットトップボックス（即ち、ＤＢ受信端末１８）との通信を起動することにより、選択されたチャネルのコンテンツを記録及び保存するようにセットトップボックスを制御可能である。このような例においては、セットトップボックスは、端末を介して、或いは、必要に応じて、且つ、しかくべく構成されている場合には、端末とは独立的に、選択されたチャネルのコンテンツを受信及び記録可能である。次いで、既に記録されており、端末のデータベース内に保存されているコンテンツの任意の部分を、端末によってデータベース内に維持するか、又はセットトップボックスによって記録された残りの部分と共に保存するべくセットトップボックスに転送可能である。別の模範的な例においては、クライアントアプリケーションは、コンテンツを記録した後に、記録されたコンテンツを、例えば、消費するべく、データベースからセットトップボックスに転送可能である。
【００５４】
又、１つ又は複数のチャネルのコンテンツを記録してデータベース１１６内に保存可能であることから、コンテンツの１つ又は複数のチャネルをコンテンツライブラリのデータベース内において組織化することも可能であることを理解されたい。従って、クライアントアプリケーション１１２は、端末ユーザーから要求された際、又はいくつかのその他の段階において、ライブラリの少なくとも一部を提示するべく構成可能である。次いで、ユーザーは、１つ又は複数の記録されたコンテンツ片を選択することにより、選択されたコンテンツをデータベースから消費するようにクライアントアプリケーションを制御可能である。更には、タイトル、著者、放送及び／又は記録の日付及び／又は時刻、或いは、これらに類似したものなどのコンテンツの１つ又は複数のソート可能な特性を含む関連したメタデータを具備するように、これらのコンテンツ片を構成することも可能である。
【００５５】
更には、前述のように、１つ又は複数の予め定義された機能のために予めプログラムされた端末のキーは、コンテンツを記録するようにクライアントアプリケーション１１２を稼動させるべく構成可能である。但し、特定の機能のために予めプログラムされると共に、その他の機能のために構成されるものと説明しているが、端末１０は、本発明の精神及び範囲を逸脱することなしに、構成された機能のために予めプログラムすると共に／又は、予めプログラムされた機能のために構成可能であることを理解されたい。従って、例えば、端末の１つ又は複数のキーは、コンテンツを記録するようにクライアントアプリケーションを稼動させるべく予めプログラム可能であり、且つ、端末の１つ又は複数のその他の機能を実行するべく構成することも可能である。又、例えば、クライアントアプリケーションの稼動と１つ又は複数のその他の機能の実行の両方のために、１つ又は複数のキーを予めプログラムすることも可能である。そして、クライアントアプリケーションの稼動と１つ又は複数のその他の機能の実行の両方のために、１つ又は複数のキーを構成することも可能である。
【００５６】
本発明の模範的な一態様によれば、端末１０、デジタルブロードキャスタ１４、及び／又はデジタル放送受信端末１８などの本システムのエンティティの中の１つ又は複数のものによって実行される機能は、前述のものを含むハードウェア及び／又はファームウェアなどの様々な手段により、単独で、並びに／又は、（例えば、クライアントアプリケーション１１２などの）コンピュータプログラムプロダクトの制御下において、実行可能である。本発明の模範的な実施例の１つ又は複数の機能を実行するためのコンピュータプログラムプロダクトは、不揮発性ストレージ媒体などのコンピュータ可読ストレージ媒体と、コンピュータ可読ストレージ媒体内において実施された一連のコンピュータ命令などのコンピュータ可読プログラムコード部分を含むソフトウェアと、を含んでいる。
【００５７】
この観点において、図８、図９、及び図１０は、それぞれ、本発明の模範的な実施例によるシステム、方法、及びプログラムプロダクトの機能ブロックダイアグラム及びフローチャートである。これらの機能ブロックダイアグラム及びフローチャートのそれぞれのブロック又は段階、並びに、これらの機能ブロックダイアグラム及びフローチャート内のブロックの組み合わせは、ハードウェア、ファームウェア、及び／又は１つ又は複数のコンピュータ命令を含むソフトウェアなどの様々な手段によって実装可能であることを理解されたい。コンピュータ又はその他のプログラム可能な装置上において稼動する命令が、これらの機能ブロックダイアグラム及びフローチャートの１つ又は複数のブロック及び１つ又は複数の段階に規定された機能を実装する手段を生成するように、このようなコンピュータプログラム命令をコンピュータ又はその他のプログラム可能な装置（即ち、ハードウェア）上に読み込んで機械を生成可能であることが理解されよう。又、これらのコンピュータプログラム命令は、コンピュータ可読メモリ内に保存された命令が、これらの機能ブロックダイアグラム及びフローチャートの１つ又は複数のブロック又は１つ又は複数の段階に規定された機能を実装する命令手段を含む製造物を生成するように、特定の方式において機能するようにコンピュータ又はその他のプログラム可能な装置を制御可能なコンピュータ可読メモリ内に保存することも可能である。又、コンピュータ又はその他のプログラム可能な装置上において稼動する命令が、これらの機能ブロックダイアグラム及びフローチャートの１つ又は複数のブロック又は１つ又は複数の段階に規定された機能を実装する段階を提供するように、コンピュータプログラム命令をコンピュータ又はその他のプログラム可能な装置上に読み込み、一連の動作段階をコンピュータ又はその他のプログラム可能な装置上において実行させることにより、コンピュータ実装されたプロセスを生成することも可能である。
【００５８】
従って、これらのフローチャートのブロック及び段階は、規定された命令を実行する手段の組み合わせ、規定された機能を実行する段階の組み合わせ、及び規定された機能を実行するプログラム命令手段をサポートしている。又、これらの機能ブロックダイアグラム及びフローチャートの１つ又は複数のブロック又は段階と、これらの機能ブロックダイアグラム及びフローチャートのブロック又は段階の組み合わせは、規定された機能又は段階、又は特殊目的ハードウェア及びコンピュータ命令の組み合わせを実行する特殊目的ハードウェアに基づいたコンピュータシステムによって実装することも可能であることを理解されたい。
【００５９】
当業者には、以上の説明及び関連する図面に提示された開示内容の利益を具備した本発明の多数の変更及びその他の実施例が想起されよう。従って、本発明は、開示された特定の実施例に限定されるものではなく、且つ、変更及びその他の実施例も、添付の請求項の範囲内に含まれることが意図されていることを理解されたい。本明細書においては、特定の用語を採用しているが、それらは、一般的且つ説明のための意味において使用されているものに過ぎず、限定を意図したものではない。
【図面の簡単な説明】
【００６０】
【図１】端末が無線ＲＦリンクを通じて双方向に結合されているセルラーネットワーク及びデータネットワークを含む本発明の模範的な一実施例による無線通信システムの概略ブロックダイアグラムである。
【図２】本発明の模範的な一実施例による端末、オリジンサーバー、デジタル放送受信端末、及び／又はデジタルブロードキャスタとして機能可能なエンティティの概略ブロックダイアグラムである。
【図３】本発明の模範的な一実施例によるデジタル放送受信端末の機能ブロックダイアグラムである。
【図４】本発明の模範的な一実施例によるデジタルブロードキャスタの機能ブロックダイアグラムである。
【図５】本発明の模範的な一実施例による放送コンテンツの順序付けされたチャネルの概略図である。
【図６】本発明の模範的な一実施例による端末として動作可能な移動局の機能ブロックダイアグラムである。
【図７】本発明の模範的な一実施例による端末として動作可能な移動局の概略図である。
【図８】本発明の模範的な一実施例による端末のユーザー入力インターフェイスの１つ又は複数の予めプログラムされたキーを押下することに応答して選択されたチャネルの放送コンテンツを記録するべくクライアントアプリケーションの起動を構成する方法の様々な段階を示すフローチャートである。
【図９】本発明の模範的な実施例によるチャネルの組の中の１つ又は複数のチャネルの放送コンテンツを受信する端末の機能ブロックダイアグラムである。
【図１０】本発明の模範的な一実施例による選択されたチャネルの放送コンテンツを記録する方法の様々な段階を示すフローチャートである。
【図１】
2009514476.tif 000003
【図２】
2009514476.tif 000004
【図３】
2009514476.tif 000005
【図４】
2009514476.tif 000006
【図５】
2009514476.tif 000007
【図６】
2009514476.tif 000008
【図７】
2009514476.tif 000009
【図８】
2009514476.tif 000010
【図９】
2009514476.tif 000011
【図１０】
2009514476.tif 000012
【国際調査報告】
2009514476.tif 000013
2009514476.tif 000014
2009514476.tif 000015
2009514476.tif 000016